(57)【特許請求の範囲】
【請求項１】
洋風便器の後部上面に設置され、前部にノズル突出口を有したケーシングと、
該ケーシング内に配置され、該ノズル突出口を通って前方へ突出可能な温水洗浄用ノズルと、
該ノズルの非突出時には該ノズル突出口を閉鎖すると共に、該ノズルの突出時には該ノズル突出口を開放可能なシャッタと
を備えたトイレ装置において、
該シャッタは、該ノズル突出口を開閉可能な後退位置と、該ノズル突出口から離隔して前方へ張り出した前進位置とをとりうるように、略前後方向に移動可能となっており、
該トイレ装置は、さらに、
該ケーシング内に設置され、略前後方向に進退可能であり、且つ前端に該シャッタが連結された進退部材を有しており、
該進退部材は、該ノズルと別体に設けられており、該ノズルの非突出時にも進退可能であることを特徴とするトイレ装置。
【請求項２】
請求項１において、前記トイレ装置は、さらに、該進退部材を進退させる駆動装置を有し、
該駆動装置は、電動モータの駆動力により該進退部材を進退させるものであることを特徴とするトイレ装置。
【請求項３】
請求項１又は２において、該シャッタは、該進退部材に対し着脱可能に連結されていることを特徴とするトイレ装置。
【請求項４】
請求項１ないし３のいずれか１項において、前記ケーシングは、前記洋風便器の後部上面に対し上下動可能に設置されており、
該ケーシングが該洋風便器の後部上面に降下した状態となっているときには、前記シャッタは前記後退位置から前進不能となっており、該ケーシングが該洋風便器の後部上面から浮上すると、該シャッタが前後進可能となるように構成されていることを特徴とするトイレ装置。
【請求項５】
請求項４において、前記トイレ装置は、前記ケーシングが前記洋風便器の後部上面に降下したときには、前記シャッタが前記後退位置に後退するように構成されていることを特徴とするトイレ装置。
【請求項６】
請求項１ないし３のいずれか１項において、前記トイレ装置は、便器使用者の便座への着座を検知する着座検知手段を備えており、
便器使用者が便座に着座しているときには、前記シャッタは前記後退位置から前進不能となっており、便器使用者が便座に着座していないときには、該シャッタが前後進可能となるように構成されていることを特徴とするトイレ装置。
【請求項７】
請求項１ないし３のいずれか１項において、前記ケーシングの前部に便座が起倒方向回動可能に取り付けられており、
前記トイレ装置は、該便座が起立姿勢となっていることを検知する便座起立検知手段を備えており、
便座が倒伏姿勢となっているときには、前記シャッタは前記後退位置から前進不能となっており、便座が起立姿勢となったときには、該シャッタが前後進可能となるように構成されていることを特徴とするトイレ装置。
【発明の詳細な説明】
【技術分野】
【０００１】
本発明は、洋風便器の後部上面に設置されたケーシングの前部に、該ケーシング内に収容された温水洗浄用ノズルを便鉢内に突出させるためのノズル突出口が設けられており、ノズルの非突出時には該ノズル突出口がシャッタによって閉鎖され、ノズル突出時にはシャッタが開いて該ノズル突出口からノズルが突出するよう構成されたトイレ装置に関する。
【背景技術】
【０００２】
温水洗浄装置は、周知の通り、洋風便器の後部上面に設置されたケーシングと、該ケーシング内に設置された洗浄ノズルとを有しており、洗浄ノズルから噴出した温水によって人体の臀部を洗浄するものである。このケーシングの前面に便座が起倒方向回動可能に取り付けられている。
【０００３】
この温水洗浄装置のノズルは、ケーシングの前部に設けられたノズル突出口を通って前方へ突出可能となっている。
【０００４】
ｉ）  シャッタの従来例  
このノズル突出口内に尿などの汚水が入り込んでこびり付き、臭気発生の原因となることがある。このノズル突出口への汚水の侵入を防止するために、特開平１０−１９５９５７号公報には、このノズル突出口に開閉式のシャッタを設けることが記載されている。
【０００５】
同号公報のトイレ装置にあっては、ノズル非突出時にはノズル突出口がシャッタによって遮蔽されており、これにより、該ノズル突出口内に汚水が浸入することが防止される。また、ノズル突出時には、このシャッタが開き、ノズルが該ノズル突出口を通って前方、即ち便鉢内に突出する。
【０００６】
ii）  浮上式トイレ装置の従来例  
ケーシングを洋風便器の後部上面に対し上下動可能に設置したトイレ装置も公知である（例えば、特開平９−２８６１９号公報）。このようにケーシングを洋風便器の後部上面に対し上下動可能に設置した浮上式トイレ装置にあっては、清掃時にはケーシングを洋風便器の後部上面から浮上させることにより、該ケーシングの下側に空間が生じ、該ケーシングの下側部分を清掃することができる。
【特許文献１】特開平１０−１９５９５７号公報
【特許文献２】特開平９−２８６１９号公報
【発明の開示】
【発明が解決しようとする課題】
【０００７】
上記特開平１０−１９５９５７号公報のように、ノズル突出口をシャッタで遮蔽した場合には、シャッタ自体に汚水が付着することとなり、このシャッタの清掃が必要となる。
【０００８】
しかしながら、同号公報の第２図に示される通り、該ノズル突出口は便鉢の奥側に位置しているので、このシャッタを清掃する際には、清掃作業者は便鉢の奥側まで腕を伸ばして清掃する必要がある。そのため、このシャッタの清掃作業を行うのは楽ではない。
【０００９】
本発明は、このシャッタの清掃作業を楽に行うことができるトイレ装置を提供することを目的とする。
【課題を解決するための手段】
【００１０】
請求項１のトイレ装置は、洋風便器の後部上面に設置され、前部にノズル突出口を有したケーシングと、該ケーシング内に配置され、該ノズル突出口を通って前方へ突出可能な温水洗浄用ノズルと、該ノズルの非突出時には該ノズル突出口を閉鎖すると共に、該ノズルの突出時には該ノズル突出口を開放可能なシャッタとを備えたトイレ装置において、該シャッタは、該ノズル突出口を開閉可能な後退位置と、該ノズル突出口から離隔して前方へ張り出した前進位置とをとりうるように、略前後方向に移動可能となっており、該トイレ装置は、さらに、該ケーシング内に設置され、略前後方向に進退可能であり、且つ前端に該シャッタが連結された進退部材を有しており、該進退部材は、該ノズルと別体に設けられており、該ノズルの非突出時にも進退可能であることを特徴とするものである。
【００１１】
請求項２のトイレ装置は、請求項１において、前記トイレ装置は、さらに、該進退部材を進退させる駆動装置を有し、該駆動装置は、電動モータの駆動力により該進退部材を進退させるものであることを特徴とするものである。
【００１２】
請求項３のトイレ装置は、請求項１又は２において、該シャッタは、該進退部材に対し着脱可能に連結されていることを特徴とするものである。
【００１３】
請求項４のトイレ装置は、請求項１ないし３のいずれか１項において、前記ケーシングは、前記洋風便器の後部上面に対し上下動可能に設置されており、該ケーシングが該洋風便器の後部上面に降下した状態となっているときには、前記シャッタは前記後退位置から前進不能となっており、該ケーシングが該洋風便器の後部上面から浮上すると、該シャッタが前後進可能となるように構成されていることを特徴とするものである。
【００１４】
請求項５のトイレ装置は、請求項４において、前記トイレ装置は、前記ケーシングが前記洋風便器の後部上面に降下したときには、前記シャッタが前記後退位置に後退するように構成されていることを特徴とするものである。
【００１５】
請求項６のトイレ装置は、請求項１ないし３のいずれか１項において、前記トイレ装置は、便器使用者の便座への着座を検知する着座検知手段を備えており、便器使用者が便座に着座しているときには、前記シャッタは前記後退位置から前進不能となっており、便器使用者が便座に着座していないときには、該シャッタが前後進可能となるように構成されていることを特徴とするものである。
【００１６】
請求項７のトイレ装置は、請求項１ないし３のいずれか１項において、前記ケーシングの前部に便座が起倒方向回動可能に取り付けられており、前記トイレ装置は、該便座が起立姿勢となっていることを検知する便座起立検知手段を備えており、便座が倒伏姿勢となっているときには、前記シャッタは前記後退位置から前進不能となっており、便座が起立姿勢となったときには、該シャッタが前後進可能となるように構成されていることを特徴とするものである。
【発明の効果】
【００１７】
本発明のトイレ装置にあっては、清掃時には、シャッタを前進させ、該シャッタをノズル突出口よりも手前側に位置させることができるので、清掃作業者は、腕を便鉢の奥側まで伸ばさなくてもシャッタを清掃することができる。そのため、このシャッタの清掃作業を楽に行うことができる。
【００１８】
本発明によれば、シャッタをスムーズに前後進させることができる。また、請求項２の態様では、その動力源として電動モータを用いているので、作動の制御が容易であると共に、作動条件を設定する際の自由度が高い。
【００１９】
請求項３のように、シャッタを進退部材に対し着脱可能に連結することにより、清掃時にはシャッタを進退部材から取り外して念入りに清掃することができる。また、この際、該シャッタをノズル突出口よりも手前側に位置させることができるので、シャッタの取り付け及び取り外しも楽である。
【００２０】
請求項４の態様にあっては、ケーシングが洋風便器の後部上面から浮上した状態となっているときにのみシャッタを前進させることができるので、平常のトイレ使用時にシャッタがノズル突出口から離隔して便鉢内に張り出すことが防止される。また、ケーシングの浮上に伴ってシャッタ位置も上方へ移動するので、より楽な姿勢でシャッタの清掃作業を行うことができる。
【００２１】
請求項５のように、ケーシングが洋風便器の後部上面に降下したときにはシャッタが後退位置に後退するように構成することにより、清掃後にシャッタを後退し忘れることが防止される。
【００２２】
請求項６の態様にあっては、便器使用者が便座に着座していないときにのみシャッタを前進させることができるので、便器使用者が便座に着座して用を足している最中にシャッタが前進して便鉢内に張り出すことが防止される。
【００２３】
請求項７の態様にあっても、便座が起立姿勢となっているときにのみシャッタを前進させることができるので、便器使用者が便座に着座して用を足している最中にシャッタが前進して便鉢内に張り出すことが防止される。
【発明を実施するための最良の形態】
【００２４】
以下に、図面を参照して本発明の実施の形態について説明する。
【００２５】
第１図は実施の形態に係るトイレ装置を備えた洋風便器の斜視図、第２図（ａ），（ｂ）はこのトイレ装置のタンクカバーユニット前部の昇降動作を示す側面図、第３図〜第５図は、それぞれ、このトイレ装置のシャッタ付近の構成を示すタンクカバー前部の縦断面図、第６図はシャッタ、シャッタ前後進駆動装置及びノズルユニットの斜視図、第７図は第６図のVII-VII線に沿う断面図、第８図（ａ）はシャッタ及びガイドロッドの斜視図、第８図（ｂ）は第８図（ａ）のＢ−Ｂ線に沿う断面図、第９図（ａ）はガイドレールの斜視図、第９図（ｂ）は第９図（ａ）のＢ−Ｂ線に沿う断面図である。
【００２６】
なお、第１図、第２図（ａ）及び第３図はケーシングが降下した状態を示し、第２図（ｂ）及び第４，５図はケーシングが浮上した状態を示している。また、第４図はシャッタが前進する前の状態を示し、第５図はシャッタが前進した後の状態を示している。第４図では、シャッタ前後進駆動装置のガイドロッド及びガイドレールの一部及びモータユニットの図示が省略されている。
【００２７】
第１図の通り、洋風便器１０の後部上面にタンクカバーユニット２０が設置され、このタンクカバーユニット２０の前部に便座１４と便蓋１６とが起倒方向回動可能に取り付けられている。
【００２８】
タンクカバーユニット２０は、底面部が後半側のリヤベースプレート２２と前半側のフロントベースプレート２４とによって構成され、このフロントベースプレート２４が昇降装置２６によってリヤベースプレート２２に対し昇降可能となっている。このフロントベースプレート２４上に、温水洗浄装置のノズルユニット３０が設置されている。
【００２９】
図示は省略するが、該フロントベースプレート２４上には、便鉢１２に洗浄水を供給するためのロータンク、ノズルユニット３０に温水を供給するためのヒータ付き温水タンク並びに給水ポンプ、電源基板、制御回路基板等も設置されている。これらのノズルユニット３０、温水タンク及び給水ポンプにより温水洗浄装置が構成されている。なお、タンクカバーユニット２０内には、この温水洗浄装置の他に、温風乾燥装置や脱臭装置等の各種トイレ機器が設置されてもよい。
【００３０】
タンクカバーユニット２０の外面を囲むタンクカバー５０は、フロントベースプレート２４上に設置され、該フロントベースプレート２４と共に昇降可能となっている。このタンクカバー５０の前部に前記便座１４と便蓋１６が取り付けられている。この実施の形態では、タンクカバー５０の上部に手洗鉢５６が設けられているが、この手洗鉢５６は省略されてもよい。
【００３１】
この実施の形態では、該タンクカバー５０、フロントベースプレート２４及びリヤベースプレート２２によりケーシングが構成されている。
【００３２】
温水洗浄装置等は、トイレルームの壁面に取り付けられたリモコン（図示略）によって操作される。また、タンクカバー５０又はこのリモコンには、タンクカバーユニット２０（タンクカバー５０及びフロントベースプレート２４）を上昇又は下降させるように昇降装置２６を作動させる浮上スイッチが設けられている。この昇降装置２６は、浮上スイッチが１回押されるとタンクカバーユニット２０を上昇させ、もう１回押されるとタンクカバーユニット２０を降下させるように前記制御回路によって制御される。
【００３３】
なお、この昇降装置２６は任意に構成しうるものであり、例えばエア圧やモータ等の駆動力などによりタンクカバーユニット２０を昇降させるように構成することができる。また、本発明のトイレ装置は、前述の特開平９−２８６１９号公報のように、手動（清掃作業者等が自分でタンクカバーユニット２０を持ち上げる方式）にてタンクカバーユニット２０を昇降させるように構成されていてもよい。
【００３４】
この実施の形態では、タンクカバーユニット２０が浮上状態にあることを検知する浮上センサ（図示略）が設けられている。
【００３５】
タンクカバー５０の前部下端には、ノズルユニット３０のノズル３２（３２Ａ，３２Ｂ（第１，６図））を便鉢１２内へ突出させるためノズル突出口５８が設けられている。
【００３６】
この実施の形態では、第３，４図等に示すように、ノズルユニット３０は、シャワー洗浄用及びビデ洗浄用の１対のノズル３２Ａ，３２Ｂと、これらのノズル３２Ａ，３２Ｂの前後進を案内するノズルガイド３３と、ラックアンドピニオン機構３４ａを介してノズル３２Ａ，３２Ｂをそれぞれ前後進させる電動モータ（以下、単にモータと略すことがある。）３４と、ノズル３２Ａ，３２Ｂのいずれかに温水の供給先を切り替えるノズル切替弁３５等を備えている。この切り替えは、便器使用者のスイッチ操作に基づいて前記制御回路によって行われる。
【００３７】
具体的には、該制御回路は、シャワー洗浄スイッチが操作されると、ノズル切替弁３５からの給水先をシャワー洗浄用のノズル３２Ａに切り替え、ビデ洗浄スイッチが操作されると、給水先をビデ洗浄用のノズル３２Ｂに切り替える。また、これらのスイッチ操作に伴い、該制御回路は、前記給水ポンプを作動させて給水先のノズル３２Ａ又は３２Ｂに前記温水タンクから温水を供給すると共に、モータ３４を作動させて、この給水先のノズル３２Ａ又は３２Ｂをノズルガイド３３に沿って前進させる。
【００３８】
切スイッチが操作されると、該制御回路は給水ポンプを停止させると共に、モータ３４を反転作動させ、前進していたノズル３２Ａ又は３２Ｂを後退させる。
【００３９】
なお、この実施の形態ではモータ３４の駆動力により各ノズル３２を前後進させているが、これ以外の駆動方式、例えば、各ノズル３２に供給される水圧により各ノズル３２を前進させる水圧駆動方式や、エア圧駆動方式、リニア駆動方式、あるいはこれらの複合式のものなどを採用してもよい。
【００４０】
前記ノズルガイド３３は、フロントベースプレート２４に固定設置され、その先端側は、タンクカバー５０の内側からノズル突出口５８に臨んでいる。
【００４１】
このトイレ装置は、ノズル３２の非突出時には該ノズル突出口５８を閉鎖すると共に、ノズル３２の突出時には開き出して該ノズル突出口５８を開放可能なシャッタ６０を備えている。このシャッタ６０は、シャッタ前後進駆動装置７０により、該ノズル突出口５８を開閉可能な後退位置と、該ノズル突出口５８から離隔して前方へ張り出した前進位置とをとりうるように前後進可能となっている。
【００４２】
この実施の形態では、該シャッタ６０は、ノズル突出口５８を遮蔽するためのシャッタプレート６１と、該シャッタプレート６１を支持する支持体６２とを備えている。この実施の形態では、該支持体６２は、各ノズル３２Ａ，３２Ｂの先端側に外嵌しうる枠形のものとなっており、各ノズル３２Ａ，３２Ｂが通過する１対のノズル通過孔６２ｂ，６２ｂを有している。
【００４３】
シャッタプレート６１は、第６図及び第８図（ａ）の通り、支持体６２の前面を覆うように配置され、その上端部が、回動軸６１ａを介して該支持体６２に対し前後方向揺動可能に支持されている。この実施の形態では、該シャッタプレート６１は、ノズル３２が突出するときには、このノズル３２によって後ろから押されて開き出し、ノズル３２が後退すると、自重により閉じてノズル突出口５８を閉鎖するように構成されている。
【００４４】
この実施の形態では、支持体６２の後面に、後述の進退部材としてのガイドロッド７２の先端部が着脱可能に係合する係合部（図示略）が設けられている。なお、この実施の形態では、該支持体６２の後面の左右両端側にそれぞれこの係合部が設けられている。
【００４５】
この実施の形態では、前記シャッタ前後進駆動装置７０は、シャッタ６０の前後進を案内するガイドレール７１及びガイドロッド７２と、該ガイドロッド７２に設けられたラック７３及び該ラック７３に噛合したピニオン７４を介して該ガイドロッド７２を前後進させるモータユニット７５とを有している。第６図の通り、この実施の形態では、ノズルユニット３０の左右両側に、それぞれ、これらのガイドレール７１及びガイドロッド７２並びにモータユニット７５が設置されている。
【００４６】
第３〜５図に示すように、該ガイドレール７１は、ノズルユニット３０の前記ノズルガイド３３と略平行に延在しており、その前端側がタンクカバー５０内からノズル突出口５８に臨むように前記フロントベースプレート２４に固定設置されている。この実施の形態では、第９図（ａ），（ｂ）の通り、該ガイドレール７１は略Ｃ字形断面形状のものとなっており、その側面（この実施の形態ではノズルユニット３０と反対側の側面）には、該ガイドレール７１の長手方向に延在する溝７１ａが設けられている。
【００４７】
進退部材としてのガイドロッド７２は、第４，５図の通り、このガイドレール７１の前端側から進退可能に該ガイドレール７１に挿入されている。詳しい図示は省略するが、このガイドロッド７２の前端部が前述の支持体６２の係合部に係合することにより、このガイドロッド７２の前端側にシャッタ６０が着脱可能に連結されている。なお、第８図（ａ），（ｂ）に示すように、この実施の形態では、左右のガイドロッド７２，７２が該支持体６２の後面の左右両端側の係合部にそれぞれ係合している。
【００４８】
第８図（ａ），（ｂ）の通り、このガイドロッド７２の側面には、ガイドレール７１の溝７１ａに対し摺動可能に係合した凸条７２ａが設けられている。この凸条７２ａはガイドロッド７２の長手方向に延在しており、その側面（ガイドロッド７２からの張り出し方向先端側の面）に前記ラック７３が延設されている。即ち、このラック７３は、溝７１ａを介してガイドレール７１のノズルユニット３０と反対側の側面に露呈している。
【００４９】
モータユニット７５は、ガイドレール７１のノズルユニット３０と反対側に配置され、その駆動軸７５ａに固着された前記ピニオン７４を該ラック７３と噛合させて前記フロントベースプレート２４に固定設置されている。この実施の形態では、該モータユニット７５は、その動力源として電動モータ（図示略）を備えている。
【００５０】
タンクカバー５０又は前記リモコンには、シャッタ６０を前進又は後退させるようにモータユニット７５を作動させるシャッタ前進スイッチが設けられている。このモータユニット７５は、該シャッタ前進スイッチが１回押されると正転作動してシャッタ６０を前進させ、もう１回押されると反転作動してシャッタ６０を後退させるように前記制御回路によって制御される。
【００５１】
なお、この実施の形態では、ガイドロッド７２がガイドレール７１に沿って所定距離前進したときにモータユニット７５の作動を停止させる前進側リミットスイッチ（図示略）と、シャッタ６０がノズル突出口５８を閉鎖しうる位置まで後退したときにモータユニット７５の作動を停止させる後退側リミットスイッチ（図示略）とが設けられている。
【００５２】
この実施の形態では、該制御回路は、タンクカバーユニット２０が浮上していない状態にあるときには、シャッタ前進スイッチが押されてもモータユニット７５を作動させないように構成されている。このタンクカバーユニット２０が浮上しているかいないかの判定は、前記浮上センサの検知信号に基づいて行われる。
【００５３】
また、この実施の形態では、タンクカバーユニット２０が浮上しており、且つシャッタ６０が前進した状態にあるときに、該タンクカバーユニット２０を降下させるために前記浮上スイッチが押された場合には、シャッタ前進スイッチが押されなくてもモータユニット７５を反転作動させてシャッタ６０を後退位置まで後退させるように構成されている。
【００５４】
次に、このように構成されたトイレ装置の使用方法及び清掃手順について説明する。
【００５５】
第２図（ａ）及び第３図の状態が平常のトイレ使用時の状態である。前記シャワー洗浄スイッチ又はビデ洗浄スイッチが操作されるまでは、シャッタプレート６１がノズル突出口５８を遮蔽している。これらのスイッチが操作されると、ノズル３２（３２Ａ又は３２Ｂ）が前進し、第３図において二点鎖線にて示すように、該ノズル３２がシャッタプレート６１を押し開いてノズル突出口５８から便鉢１２内に突出する。切スイッチが操作されてノズル３２が後退すると、シャッタプレート６１も復位して再びノズル突出口５８を遮蔽するようになる。
【００５６】
清掃時には、まず、前記浮上スイッチを押して、第４図のようにタンクカバーユニット２０を浮上させる。次に、シャッタ前進スイッチを押して、第２図（ｂ）及び第５図のようにシャッタ６０を前進させる。その後、シャッタ６０をガイドロッド７２から取り外し、清掃する。なお、シャッタ６０をガイドロッド７２に連結したまま、該シャッタ６０を清掃してもよい。
【００５７】
清掃完了後、シャッタ６０をガイドロッド７２の前端部に連結する。その後、シャッタ前進スイッチを押してシャッタ６０を後退させ、次いで浮上スイッチを押してタンクカバーユニット２０を洋風便器１０上に降下させる。これにより、第２図（ｂ）及び第３図の状態に戻る。なお、この実施の形態では、タンクカバーユニット２０を降下させる前にシャッタ前進スイッチを押さずに浮上スイッチを押しても、自動的にシャッタ６０が後退するようになっているので、タンクカバーユニット２０を降下させる前にシャッタ前進スイッチを押さなくてもよい。
【００５８】
以上のように、このトイレ装置にあっては、清掃時には、シャッタ６０を前進させ、該シャッタ６０をノズル突出口５８よりも手前側に位置させることができるので、清掃作業者は、腕を便鉢の奥側まで伸ばさなくてもシャッタ６０を清掃することができる。そのため、このシャッタ６０の清掃作業を楽に行うことができる。
【００５９】
この実施の形態では、シャッタ６０はガイドロッド７２に対し着脱可能となっているので、清掃時にはシャッタ６０をガイドロッド７２から取り外して念入りに清掃することができる。また、この際、該シャッタ６０をノズル突出口５８よりも手前側に位置させることができるので、このシャッタ６０の取り付け及び取り外しも楽である。
【００６０】
この実施の形態では、タンクカバーユニット２０が洋風便器１０の後部上面から浮上した状態となっているときにのみシャッタ６０を前進させることができるので、平常のトイレ使用時にシャッタ６０がノズル突出口５８から離隔して便鉢１２内に張り出すことが防止される。また、タンクカバーユニット２０の浮上に伴ってシャッタ６０の位置も上方へ移動するので、より楽な姿勢でシャッタ６０の清掃作業又は該シャッタ６０のガイドロッド７２への着脱作業を行うことができる。
【００６１】
この実施の形態では、タンクカバーユニット２０が洋風便器１０の後部上面に降下したときにはシャッタ６０が後退位置に後退するようになっているので、清掃後にシャッタ６０を後退し忘れることが防止される。
【００６２】
上記の実施の形態では、シャッタ６０を前後進させる動力源として、電動モータを備えたモータユニット７５を用いているが、本発明においては、シャッタ６０の動力源はこれに限定されるものではない。
【００６３】
第１０図は、シャッタ前後進駆動用モータの別の構成例を示す断面図である。
【００６４】
この第１０図の実施の形態では、シャッタ６０を前後進させるシャッタ前後進駆動装置７０の動力源として、電動モータを備えたモータユニット７５の代わりに、水力モータ８０を用いている。
【００６５】
この水力モータ８０は、内部に羽車８２を収容したハウジング８１と、それぞれ該ハウジング８１内に水を流入させるための第１流入口８３及び第２流入口８４と、該ハウジング８１外に水を流出させるための流出口８５等を備えている。該羽車８２は、ハウジング８１内を流通する水流によって回転するものであり、この水流の方向によって正転方向又は反転方向に回転する。該羽車８２の回転軸８２ａの一端側はハウジング８１外に延出しており、この回転軸８２ａに前記ピニオン７４が接続されている。この回転軸８２ａは、羽車８２と一体に回転する。
【００６６】
この実施の形態では、第１流入口８３からハウジング８１内に水を流入させたときに羽車８２が正転方向に回転し、該回転軸８２ａ及びピニオン７４を介してガイドロッド７２を前進させると共に、第２流入口８４からハウジング８１内に水を流入させたときには、羽車８２が反転方向に回転してガイドロッド７２を後退させるように構成されている。
【００６７】
なお、この実施の形態では、トイレ装置は、ノズル３２の外面に洗浄水を注ぎ掛けて該ノズル３２を洗浄するためのノズル洗浄装置（図示略）を備えている。図示は省略するが、このノズル洗浄装置は、ノズル洗浄水タンクと、該ノズル洗浄水タンクからのノズル洗浄水をノズル３２の外面に向って吐出するノズル洗浄水吐水管と、ノズル洗浄水タンクから該吐水管への給水及び止水を切り替える給水弁等を有している。
【００６８】
この実施の形態では、該ノズル洗浄装置への給水流路から水力モータ８０に水を供給するための給水配管９１が分岐している。この給水配管９１は、途中で切替弁９３を介して二手に分岐しており、この切替弁９３から分岐した一方の分岐配管９２ａが第１流入口８３に接続され、他方の分岐配管９２ｂが第２流入管８４に接続されている。流出口８５には、便鉢１２に水を排水するための排水配管（図示略）が接続されている。
【００６９】
即ち、この水力モータ８０への給水流路は、ノズル３２への臀部洗浄水の給水流路や、ノズル３２の外面に水を注ぎ掛けて該ノズル３２を洗浄するためのノズル洗浄水吐水管への給水流路とは別流路となっている。なお、上記の構成は一例であり、水力モータ８０への給水流路の構成は上記の構成に限定されない。
【００７０】
この実施の形態では、シャッタ前進スイッチが１回押されると、給水配管９１から分岐配管９２ａに水を供給するように切替弁９３が切り替わると共に給水ポンプ（図示略）が作動し、第１流入口８３からハウジング８１内に水が流入する。これにより、羽車８２が正転方向に回転してガイドロッド７２が前進する。その後、シャッタ前進スイッチがもう１回押されると、給水配管９１から分岐配管９２ｂに水を供給するように切替弁９３が切り替わると共に該給水ポンプが作動し、第２流入口８４からハウジング８１内に水が流入し、羽車８２が反転方向に回転してガイドロッド７２が後退する。
【００７１】
なお、この実施の形態では、ガイドロッド７２が所定距離前進したときに該給水ポンプの作動を停止させる前進側リミットスイッチ（図示略）と、シャッタ６０がノズル突出口５８を閉鎖しうる位置まで後退したときに該給水ポンプの作動を停止させる後退側リミットスイッチ（図示略）とが設けられている。
【００７２】
この実施の形態のその他の構成は前述の第１〜９図の実施の形態と同様である。
【００７３】
なお、本発明においては、上記のような電力モータや水力モータ以外の動力源、例えばソレノイド等によりガイドロッド７２を進退させるように構成してもよい。
【００７４】
上記の各実施の形態はいずれも本発明の一例を示すものであり、本発明は上記の各実施の形態に限定されるものではない。
【００７５】
例えば本発明は、タンクカバーユニット２０が上下動しないように構成されたトイレ装置にも適用可能である。
【００７６】
この場合、図示は省略するが、例えばタンクカバーユニット２０又は便座１４に、便器使用者の該便座１４への着座を検知する着座検知センサを設け、便器使用者が便座１４に着座しているときにはシャッタ６０を前進不能とし、便器使用者が便座１４に着座していないときにはシャッタ６０を進退可能とするように、シャッタ前後進駆動装置７０の制御回路を構成してもよい。
【００７７】
あるいは、例えばタンクカバーユニット２０又は便座１４に、該便座１４が起立姿勢となっていることを検知する便座起立検知センサを設け、便座１４が起立姿勢となっていないときにはシャッタ６０を前進不能とし、便座１４が起立姿勢となったときには、シャッタ６０を進退可能とするように、シャッタ前後進駆動装置７０の制御回路を構成してもよい。
【００７８】
このように構成することにより、便器使用者が便座に着座して用を足している最中にシャッタが前進して便鉢内に張り出すことが防止される。
【００７９】
上記の実施の形態では、洋風便器１０の後部上面に、ケーシングとしてタンクカバーユニット２０（ロータンクカバー）が設置されているが、このタンクカバーユニット２０の代わりに、便座ボックス（図示略）が設置されてもよい。
【図面の簡単な説明】
【００８０】
【図１】実施の形態に係るトイレ装置を備えた洋風便器の斜視図である。
【図２】図１のトイレ装置のタンクカバーユニットの昇降動作を示す側面図である。
【図３】図１のトイレ装置のタンクカバーユニット降下時におけるシャッタ付近の断面図である。
【図４】図１のトイレ装置のタンクカバーユニット浮上時におけるシャッタ付近の断面図である。
【図５】図１のトイレ装置のシャッタ前進時における該シャッタ付近の断面図である。
【図６】図１のトイレ装置のシャッタ、シャッタ前後進駆動装置及びノズルユニットの斜視図である。
【図７】図６のVII-VII線に沿う断面図である。
【図８】図１のトイレ装置のシャッタ及びガイドロッドの斜視図及び断面図である。
【図９】図１のトイレ装置のガイドレールの斜視図及び断面図である。
【図１０】シャッタ前後進駆動用モータの別の構成例を示す断面図である。
【符号の説明】
【００８１】
１０  洋風便器
２０  タンクカバーユニット
２２  リヤベースプレート
２４  フロントベースプレート
３０  ノズルユニット
３２（３２Ａ，３２Ｂ）  ノズル
３３  ノズルガイド
５０  タンクカバー
６０  シャッタ
６１  シャッタプレート
６２  支持体
７０  シート前後進駆動装置
７１  ガイドレール
７２  ガイドロッド
７５  モータユニット
８０  水力モータ
【図１】
0005125402.tif 000002
【図２】
0005125402.tif 000003
【図３】
0005125402.tif 000004
【図４】
0005125402.tif 000005
【図５】
0005125402.tif 000006
【図６】
0005125402.tif 000007
【図７】
0005125402.tif 000008
【図８】
0005125402.tif 000009
【図９】
0005125402.tif 000010
【図１０】
0005125402.tif 000011